(57)【要約】【課題】前枠扉の開放時における球導出樋部からの球こぼれを防止し得る遊技機を提供する。【解決手段】連通領域４６の側方に退避領域４７を上方傾斜状態で連成した球導出樋部４０を前枠扉６の裏面に上下方向に傾動可能に軸支する一方、前枠扉６の開放時に、前記球導出樋部４０を傾動させて退避領域４７が下方傾斜する状態に付勢する付勢手段と、前枠扉６の閉鎖時に、付勢手段の付勢力に抗して退避領域４７が上方傾斜する状態に球導出樋部４０を復帰傾動させて、連通領域４６によって球送出口３４と球導出口３３とを連通させる復帰作動部材５８とを備えた構成とした。これにより、前枠扉６の開放時に連通領域４６内の遊技球が退避領域４７に流入し、且つ前枠扉６の閉鎖時に退避領域４７に流入している遊技球が連通領域４７へ流出するので、前枠扉６の開放時における球導出樋部４０からの球こぼれが確実に防止され得る。【選択図】図６
2008000185.tif 000002
【特許請求の範囲】
【請求項１】
前面に球送出口が開口され、内蔵する払出装置から払い出された遊技球を前記球送出口から前方に送出する本体枠と、
該本体枠の前面に一側縁が枢結されて開閉可能に設けられ、その閉鎖状態で前記球送出口の下部前方に臨む位置に球導出口が開口された前枠扉と、
該前枠扉の前面側に配設されて前記球導出口から導出された遊技球を貯留する上受皿と、
前記前枠扉の閉鎖状態で前記球送出口と前記球導出口とを連通させて、遊技球を前記上受皿に導出する球導出樋部と
を備えた遊技機において、
前記球導出樋部が、前記球送出口と前記球導出口とを連通させる連通領域と、遊技球が流入可能な退避領域とからなる一方、
前記前枠扉の開放時に前記連通領域内の遊技球を前記退避領域に流入させ、且つ前記前枠扉の閉鎖時に前記退避領域に流入している遊技球を前記連通領域へ流出させて前記上受皿に導出する遊技球退避手段を備えていることを特徴とする遊技機。
【請求項２】
前記退避領域が前記連通領域の側方に上方傾斜状態で連成されるとともに、前記球導出樋部が前記前枠扉の裏面に上下方向に傾動可能に軸支される一方、
前記遊技球退避手段が、
前記前枠扉の開放時に、前記球導出樋部を傾動させて前記退避領域が下方傾斜する状態に付勢する付勢手段と、
前記前枠扉の閉鎖時に、前記付勢手段の付勢力に抗して前記退避領域が上方傾斜する状態に前記球導出樋部を復帰傾動させて、前記連通領域によって前記球送出口と前記球導出口とを連通させる復帰作動部材と
からなることを特徴とする請求項１記載の遊技機。
【発明の詳細な説明】
【技術分野】
【０００１】
本発明は、前枠扉の開放時における球導出樋部からの球こぼれを防止し得るようにした遊技機に関する。
【背景技術】
【０００２】
一般に、遊技球を遊技媒体とし、上受皿を備えた前枠扉が本体枠の前面に配設された遊技機にあっては、該前枠扉の上受皿に払出装置から払い出された遊技球が貯留される。
【０００３】
このような遊技機は、図８（Ａ）に示すように、内蔵する払出装置（図示省略）から払い出された遊技球を前方に送出する球送出口ｂが本体枠ａの前面に開口される一方、本体枠ａの前面に一側縁が枢結されて開閉可能に設けられた前枠扉ｃには、その閉鎖状態で前記球送出口ｂの下部前方に臨む位置に球導出口ｄが開口されている。また、該球導出口ｄには球導出樋部ｅが後方に向けて突設されており、前枠扉ｃの閉鎖状態で、該球導出樋部ｅを前方から球送出口ｂの直下位置に臨ませることによって該球送出口ｂと球導出口ｄとを連通させて、該球導出口ｄから遊技球を前枠扉ｃの前面側に配設された上受皿ｆに導出し得るように構成されている。
【０００４】
ところで、このような構成にあっては、上受皿ｆが遊技球で満杯となり、図８（Ａ）に示すように、球導出口ｄから上受皿ｆへ導出しきれない遊技球が球導出樋部ｅ上に滞留している状態で前枠扉ｃが開放されると、図８（Ｂ）に示すように、球導出樋部ｅ上の遊技球が機外にこぼれ落ちるという問題点があった。
【０００５】
従来、このような前枠扉ｃの開放時における球こぼれを防止するために、球送出口ｂの下方に、前枠扉ｃの開放に伴って前方に張り出す受皿部材を設け、前枠扉ｃを開放した際に、球送出口ｂ及び球導出樋部ｅからこぼれ落ちた遊技球を前記受皿部材で受け止めて下受皿に導くようにしたもの（例えば、特許文献１参照）や、球導出樋部ｅの後端開口を遮蔽可能な開閉枠を設け、該開閉枠によって球導出樋部ｅの後端開口を、前枠扉ｃの開放時に遮蔽する一方、前枠扉ｃの閉鎖時に開放するようにしたもの（例えば、特許文献２参照）、或いは球導出口ｄ内に、前枠扉ｃの開放に伴って閉じるシャッタを設けたもの（例えば、特許文献３参照）が提案されている。
【特許文献１】特開２００４−２７５２０７号公報（［００７９］〜［００９７］、図１２〜図１６）
【特許文献２】実開昭６２−３６７８４号公報
【特許文献３】特開２００２−１１９７１８号公報（［００４７］，［００４８］、図４，図５）
【発明の開示】
【発明が解決しようとする課題】
【０００６】
上記のような先行技術において、特許文献１の構成にあっては、前枠扉ｃの開放時に球送出口ｂ及び球導出樋部ｅからこぼれ落ちた遊技球を受け止めて回収するものであり、球こぼれ自体を未然に防止することはできなかった。また、特許文献２の構成は、前枠扉ｃの開放時に、球導出樋部ｅの後端開口を遮蔽する開閉枠の上端より高い位置まで遊技球が滞留している場合には、その高い位置にある遊技球が開閉枠の上端を越えてこぼれ落ちるため、球こぼれを確実に防止することができなかった。また、特許文献３の構成は、シャッタが球導出口ｄ内で上下方向に回動するように設けられているため、球導出口ｄの開口領域がシャッタにより狭められて、遊技球が通過する球導出口ｄの十分な開口領域を確保することができなかった。
【０００７】
本発明は、かかる従来の実状に鑑みてなされたものであって、前枠扉の開放時における球導出樋部からの球こぼれを確実に防止し得るとともに、球導出口の十分な開口領域を確保し得る遊技機を提供することを目的とするものである。
【課題を解決するための手段】
【０００８】
本発明は、前面に球送出口が開口され、内蔵する払出装置から払い出された遊技球を前記球送出口から前方に送出する本体枠と、該本体枠の前面に一側縁が枢結されて開閉可能に設けられ、その閉鎖状態で前記球送出口の下部前方に臨む位置に球導出口が開口された前枠扉と、該前枠扉の前面側に配設されて前記球導出口から導出された遊技球を貯留する上受皿と、前記前枠扉の閉鎖状態で前記球送出口と前記球導出口とを連通させて、遊技球を前記上受皿に導出する球導出樋部とを備えた遊技機において、前記球導出樋部が、前記球送出口と前記球導出口とを連通させる連通領域と、遊技球が流入可能な退避領域とからなる一方、前記前枠扉の開放時に前記連通領域内の遊技球を前記退避領域に流入させ、且つ前記前枠扉の閉鎖時に前記退避領域に流入している遊技球を前記連通領域へ流出させて前記上受皿に導出する遊技球退避手段を備えていることを特徴とする遊技機である。
【０００９】
ここで、球導出樋部の連通領域は、前枠扉の閉鎖時において、本体枠の球送出口と前枠扉の球導出口とを連通させて、遊技球を球導出口から上受皿に導出する作用を生じるものである。
【００１０】
前記遊技機にあって、前記退避領域が前記連通領域の側方に上方傾斜状態で連成されるとともに、前記球導出樋部が前記前枠扉の裏面に上下方向に傾動可能に軸支される一方、前記遊技球退避手段が、前記前枠扉の開放時に、前記球導出樋部を傾動させて前記退避領域が下方傾斜する状態に付勢する付勢手段と、前記前枠扉の閉鎖時に、前記付勢手段の付勢力に抗して前記退避領域が上方傾斜する状態に前記球導出樋部を復帰傾動させて、前記連通領域によって前記球送出口と前記球導出口とを連通させる復帰作動部材とからなる構成が提案される。
【００１１】
ここで、付勢手段としては、一端が球導出樋部の連通領域側に連結され、且つ他端が球導出樋部の上方位置で前枠扉の裏面に連結された引張バネとする構成が適用され得る。また、復帰作動部材としては、先端下面に下部後方に向けて傾斜した係合案内面を備え、本体枠側から突設されて、前枠扉の閉鎖時に、連通領域の上縁に係合して該連通領域を押し下げる板状部材とする構成が適用され得る。
【発明の効果】
【００１２】
本発明は、上述したように、球導出樋部が、本体枠の球送出口と前枠扉の球導出口とを連通させる連通領域と、遊技球が流入可能な退避領域とからなる一方、前枠扉の開放時に連通領域内の遊技球を退避領域に流入させ、且つ前枠扉の閉鎖時に退避領域に流入している遊技球を連通領域へ流出させて上受皿に導出する遊技球退避手段を備えている遊技機であるから、前枠扉の閉鎖状態においては、球導出樋部の連通領域によって、本体枠の球送出口と前枠扉の球導出口とが連通されて、遊技球が上受皿に導出される。そして、このように上受皿に導出される遊技球で該上受皿が満杯となり、導出しきれない遊技球が連通領域上に滞留している状態で前枠扉が開放されると、遊技球退避手段の誘導によって連通領域内の遊技球が退避領域に流入するので、連通領域上に滞留している遊技球が前枠扉の開放時に、機外にこぼれ落ちることを確実に防止することができる。また、この退避領域に流入した遊技球は、前枠扉の閉鎖時に、遊技球退避手段の誘導によって退避領域から連通領域へ流出するので、該連通領域から球導出口を介して上受皿に自動的に導出させることができる。これにより、前枠扉を開閉する前後に於いて、連通領域内の遊技球数を減少させることがなく、更に退避領域に流入した遊技球を手作業によって上受皿に移動させる必要がない。また、本体枠の球送出口と前枠扉の球導出口とを連通する連通領域を備えた球導出樋部に、前枠扉の開放時に遊技球が流入可能な退避領域を設けたので、該退避領域によって球導出口の開口領域が狭められることがなく、これによって球導出口の十分な開口領域を確保することができる。
【００１３】
また、退避領域が連通領域の側方に上方傾斜状態で連成されるとともに、球導出樋部が前枠扉の裏面に上下方向に傾動可能に軸支される一方、遊技球退避手段が、前枠扉の開放時に、球導出樋部を傾動させて退避領域が下方傾斜する状態に付勢する付勢手段と、前枠扉の閉鎖時に、前記付勢手段の付勢力に抗して退避領域が上方傾斜する状態に球導出樋部を復帰傾動させて、連通領域によって球送出口と球導出口とを連通させる復帰作動部材とからなるものとした構成にあっては、例えばソレノイド等の電気的駆動源を別途用いることなく、前枠扉の開放操作に伴って球導出樋部が傾動して退避領域が下方傾斜する状態が得られ、連通領域内の遊技球を退避領域に流入させることができる一方、前枠扉の閉鎖操作に伴って球導出樋部が復帰傾動して退避領域が上方傾斜する状態が得られ、該退避領域に流入している遊技球を連通領域へ流出させて上受皿に導出することができる。
【発明を実施するための最良の形態】
【００１４】
以下に、本発明をパチンコ遊技機に適用した場合の一実施例を、図１〜図７に基づいて説明する。
パチンコ遊技機１は、図１，図２に示すように、遊技島設備（図示省略）に固定される長方形状の外枠２と、該外枠２の前面開口部を覆う遊技機本体３とからなる。
【００１５】
遊技機本体３は、板状の本体枠５（図２参照）を備え、この本体枠５が前記外枠２にヒンジ部材４を介して枢着されている。この本体枠５の前面側には前枠扉６が開閉可能に配設されており、本体枠５の背面側には裏機構板７（図３参照）が配設されている。
【００１６】
前記本体枠５には、遊技盤９が配設されており、該遊技盤９の前面には、案内レール１３が湾曲状に設けられている。そして、この案内レール１３により区画された円形領域は、大入賞口や普通入賞口などを備えた各種入賞装置や遊技釘などが配設された遊技領域１２となっている。
【００１７】
また、本体枠５には、遊技盤９の直下に、左上方に向けて傾斜する発射レール１６と発射槌６０（図７参照）とを備えた発射装置１５が配設されている。また、発射装置１５の前側には、発射レール１６の下端の球発射位置に遊技球を一個ずつ送り出す電動式の球送り機構を備えた整流器２０が配設されている。この整流器２０から送り出された遊技球は、発射レール１６の球発射位置に供給され、発射槌６０の打圧によって案内レール１３を介して遊技領域１２に打ち出される。ここで、発射レール１６の上端と案内レール１３の下端は、開口部２７を介して非連続状に連設されており、発射の失敗によって遊技領域１２に打ち出されずに案内レール１３を逆流するファール球が、前記開口部２７から下方に排出されるようになっている。
【００１８】
また、本体枠５の前面下部には、図１，２のように、下部パネル２３が配設されており、この下部パネル２３の前面中央に余剰の遊技球を貯留する下受皿１１が前方突成されている。この下受皿１１内には球放出口２４が開口しており、該球放出口２４から下受皿１１内に後述する球送出口３４から溢れた遊技球が放出される。また、下受皿１１の底部には遊技球排出用の球抜孔２５が形成されており、下受皿１１の底部に設けられた球抜スライダ２６を移動操作することにより前記球抜孔２５が開放され、下受皿１１の遊技球が下方へ排出される。
【００１９】
前記下部パネル２３には、下受皿１１の右側位置に発射ハンドル２８が突設されている。この発射ハンドル２８の外周部には回動操作可能な発射レバー２９が設けられており、該発射ハンドル２８の内部には、前記発射レバー２９の回動角度を検知する回動角度検知センサ（図示省略）が配設されている。該回動角度検知センサは、上記した発射装置１５や整流器２０の作動を制御する発射制御基板（図示省略）に接続されており、発射レバー２９の回動操作に伴って回動角度検知センサから発射制御基板に信号が入力されると、これに従って該発射制御基板は、整流器２０の球送り機構を作動させるとともに、発射装置１５を駆動制御し、整流器２０から球発射位置に送り出された遊技球が発射されるようになっている。
【００２０】
前記裏機構板７は、本体枠５の背面側に取り付けられている。該裏機構板７には、図３に示すように、その上部に球タンク１７が配設されており、図示しない遊技島設備の補給樋から可撓パイプを介して供給される遊技球を該球タンク１７内に受け入れ得るようになっている。また、裏機構板７には、球タンク１７の底壁に開口された球出口１８から放出される遊技球を受け入れて流下させる緩勾配で下方傾斜したタンクレール１９と、該タンクレール１９の下端部と連通して遊技球を下方の払出装置３１へ導く上下方向の球通路２１とが設けられている。また、裏機構板７には、前記払出装置３１から払い出される遊技球をさらに下方に導く二股状に分岐された払出し流路２２ａ，２２ｂが設けられており、その一方の払出し流路２２ａは本体枠５に開口された後述する球送出口３４と連通され、他方の払出し流路２２ｂは下受皿１１の前記球放出口２４と連通されている。これにより、前記払出装置３１から払い出された遊技球は、通常、払出し流路２２ａを介して球送出口３４に送られるが、大量の遊技球が払い出された場合に、球送出口３４から溢れた遊技球が払出し流路２２ｂを介して下受皿１１の球放出口２４に送られるようになっている。さらに、裏機構板７には、遊技作動全般を制御する主制御基板，前記払出装置３１の作動を制御する払出制御基板、前記発射装置１５の作動を制御する発射制御基板等の各種制御基板（何れも図示省略）が夫々配設されている。
【００２１】
また、前記本体枠５には、後述する上受皿１０の球導出口３３と連通可能な位置に球送出口３４（図４参照）が開口されている。該球送出口３４は前記払出し流路２２ａと連通しており、前記払出装置３１から払い出された遊技球を払出し流路２２ａを介して前方に送出するようになっている。
【００２２】
また、前記前枠扉６は、その左側の一側縁がヒンジ部材３０（図２参照）によって本体枠５に枢結されて開閉可能に設けられている。ここで、前枠扉６は、前記下部パネル２３より上の本体枠５を略全体的に前面から覆い得るように形成されており、その閉鎖状態で、前記遊技盤９，発射装置１５，整流器２０を前方から覆うものとなっている。
【００２３】
この前枠扉６の中央には、透明板３６を保持する略円形の遊技窓部３７が形成されており、前枠扉６を閉鎖した状態で、該遊技窓部３７を介して、前記遊技盤９の遊技領域１２を前方から視認可能となっている。
【００２４】
また、前枠扉６の下部前面には、図１に示すように、上受皿１０が配設されている。この上受皿１０には遊技球を整列する整列部３８が左右方向に沿って形成されており、該整列部３８の右端に、遊技球を取り込む球取込口３９が形成されている。また、上受皿１０の内底面は、遊技球が整列部３８を流下して球取込口３９へ流入するように右方向へ下方傾斜している。そして、前枠扉６の閉鎖状態で、球取込口３９から流入した遊技球が前記整流器２０に流入する。即ち、この上受皿１０は、前記発射装置１５へ送る遊技球を貯留するためのものである。
【００２５】
さらに、前枠扉６には、上受皿１０内の左側位置に、前枠扉６の厚み方向に貫通した球導出口３３が設けられている。該球導出口３３は、前枠扉６の閉鎖状態で、前記本体枠５の球送出口３４の下部前方に臨む位置に開口されており、該球導出口３３から導出される遊技球が上受皿１０に貯留される。
【００２６】
また、前枠扉６の裏面には、前枠扉６の閉鎖状態で、前記球送出口３４と球導出口３３とを連通させて、遊技球を前記上受皿１０に導出する球導出樋部４０が配設されている。この球導出樋部４０は本発明の要部にかかるものであり、詳しくは後述する。
【００２７】
また、図４に示すように、前記球送出口３４の前部側には、前面に前記球導出樋部４０が挿通可能な開口部４１を備えたケーシング部材４２が配設されており、該開口部４１には下縁を枢支された開閉板４３が起倒可能に設けられている。該開閉板４３は、前枠扉６の開放時に、付勢バネ（図示省略）によって起立状態に保持されて球送出口３４の前方を遮蔽し、該球送出口３４から送出される遊技球の機外への飛び出しを防止するものであり、前枠扉６の閉鎖時には、前方から挿通される球導出樋部４０によって押圧されて後方に回動するようになっている。また、該開閉板４３と球送出口３４間の下方領域は、ケーシング部材４２内で隣接するファール球流下路４４（図２，図７参照）の下部と連通されており、開閉板４３の裏面に衝突して落下する遊技球はファール球流下路４４を介して下受皿１１に排出される。
【００２８】
前記ケーシング部材４２には、上述した案内レール１３の下端の開口部２７に下方から臨む位置にファール球流下路４４に連通する球流入口４５（図２参照）が開口されており、該球流入口４５から流入したファール球がファール球流下路４４を介して下受皿１１に排出される。
【００２９】
次に、本発明の要部について説明する。
前記球導出樋部４０は、前記本体枠５の球送出口３４と前枠扉６の球導出口３３とを連通させる連通領域４６と、遊技球が流入可能な退避領域４７とからなり、図６（Ａ）に示すように、連通領域４６の右側方に退避領域４７が上方傾斜状態で連成されている。ここで、該球導出樋部４０は、図４に示すように、連通領域４６の底板部４８ａと、該底板部４８ａに対して若干上方傾斜する退避領域４７の底板部４８ｂとが側周壁４９によって囲繞された横長の矩形箱状に形成されている。側周壁４９には、球導出口３３に対応する連通領域４６の前面側に門型枠部５１を備えた開口部５０が設けられており、また、連通領域４６の底板部４８ａには、前記開口部５０に向けて遊技球が転動し得るように前面側に下方傾斜する適宜の勾配が設けられている。
【００３０】
前記球導出樋部４０の下底面には、連通領域４６と退避領域４７の境目部分に対応する位置に前後方向の軸受部５２が形成されている。該軸受部５２には前枠扉６から後方に向けて突設された支軸５３が挿通されており、該支軸５３によって、前記開口部５０が球導出口３３に一致可能な位置で、球導出樋部４０が前枠扉６の裏面に上下方向に傾動可能に軸支されている。
【００３１】
前記門型枠部５１の上面には、バネ係止部５４が形成されており、該バネ係止部５４には引張バネ５５の下端が係止されている。該引張バネ５５の上端は、前枠扉６に突設されたバネ係止軸５６に係止されている。これにより、球導出樋部４０は、退避領域４７が下方傾斜する方向に常時付勢されている。そして、該引張バネ５５を、前枠扉６の開放時に、球導出樋部４０を傾動させて退避領域４７が下方傾斜する状態に付勢する付勢手段としている。また、前枠扉６には、退避領域４７の下底面に当接可能な所定高さ位置にストッパ部材５７が突設されており、図６（Ｂ）に示すように、該ストッパ部材５７に退避領域４７の下底面を当接させることにより、前枠扉６の開放時における球導出樋部４０の必要以上の傾動を規制するようにしている。
【００３２】
また、本体枠５には、前枠扉６の閉鎖時に、連通領域４６を左右方向に水平とし、且つ退避領域４７が上方傾斜する状態に球導出樋部４０を復帰傾動させる復帰作動部材５８が配設されている。該復帰作動部材５８は、図４に示すように、本体枠５から前方に突設された水平な板状部材からなり、その先端下面に下部後方に向けて傾斜または湾曲する係合案内面５９を備えている。ここで、該復帰作動部材５８は、前枠扉６の閉鎖時において、少なくとも連通領域４６の後部側に位置する側周壁４９の上面に当接して連通領域４６を左右方向に水平に保持する位置に配設されている。即ち、前枠扉６の閉鎖時に、先ず、復帰作動部材５８の係合案内面５９が連通領域４６の後部側に位置する側周壁４９の上面に係合され、次いで復帰作動部材５８の下面が前記側周壁４９の上面に係合されることにより、連通領域４６が前記付勢手段の付勢力に抗して押し下げられ、前記開口部５０が球導出口３３に一致する位置まで球導出樋部４０が復帰傾動するように設けられている。そして、このように球導出樋部４０が復帰傾動することにより、連通領域４６によって前記球送出口３４と球導出口３３とを連通させるようにしている。
【００３３】
そして、前記引張バネ５５からなる付勢手段と、復帰作動部材５８とによって、前枠扉６の開放時に連通領域４６内の遊技球を退避領域４７に流入させ、且つ前枠扉６の閉鎖時に該退避領域４７に流入している遊技球を連通領域４６へ流出させて上受皿１０に導出する遊技球退避手段が構成されている。
【００３４】
また、前枠扉６の裏面に軸支された球導出樋部４０は、前枠扉６の閉鎖状態において、その退避領域４７が、図７に示すように、上述したファール球流下路４４の球流入口４５の上部を左右方向において概ね半分程度遮蔽する位置関係で配設されている。これにより、ファール球の一部を退避領域４７によって受け止め得るようになっており、受け止められたファール球は連通領域４６から球導出口３３を介して上受皿１０に導出される。尚、図７には、発射装置１５から発射された遊技球Ｐ1とその軌跡、及びファール球となって案内レール１３を流下する遊技球Ｐ2とその軌跡を併せて示した。このように、球導出樋部４０は、発射された遊技球Ｐ1の障害とならない位置及び形状で配設されている。
【００３５】
かかる構成にあって、前枠扉６の閉鎖状態においては、図５（Ａ）に示すように、復帰作動部材５８が連通領域４６の後部側に位置する側周壁４９の上面に係合されていることにより、図６（Ａ）に示すように、連通領域４６が引張バネ５５の付勢に抗して左右方向に水平状に保持されている。これにより、本体枠５の球送出口３４と前枠扉６の球導出口３３とが連通領域４６によって連通され、遊技球を上受皿１０に導出させることができる。
【００３６】
上記のような閉鎖状態から前枠扉６が僅かに開放された状態を図５（Ｂ）に示す。この状態においても、復帰作動部材５８が連通領域４６の後部側に位置する側周壁４９の上面の一部領域ｒ（斜線で示す領域）に係合されていることにより、球導出樋部４０は図６（Ａ）に示す状態に保持されている。そして、図５（Ｃ）に示すように、前枠扉６がさらに開放されて復帰作動部材５８の係合が外れると、図６（Ｂ）に示すように、引張バネ５５の付勢力によって球導出樋部４０が支軸５３を中心にして回動し、退避領域４７の下底面がストッパ部材５７に当接する位置で停止する。これにより、退避領域４７が下方傾斜する状態となり、連通領域４６内の遊技球が退避領域４７に流入することとなる。これにより、連通領域４６上に遊技球が滞留している状態で前枠扉６を開放しても、遊技球が機外にこぼれ落ちることがなく、前枠扉６の開放時における球こぼれを確実に防止することができる。
【００３７】
一方、上記のような開放状態から前枠扉６を閉鎖して行くと、該前枠扉６の閉鎖移動に伴って、先ず復帰作動部材５８が連通領域４６の後部側に位置する側周壁４９の上面の一部領域ｒ（図５（Ｂ）参照）に係合され、次いで復帰作動部材５８の下面が前記側周壁４９の上面（斜線で示す領域ｓ）に係合される（図５（Ａ）参照）。この時、復帰作動部材５８の先端下面に形成されている係合案内面５９（図４参照）によって、その係合を円滑に行わせることができる。このように復帰作動部材５８が係合されることにより、連通領域４６が引張バネ５５の付勢力に抗して押し下げられ、前記開口部５０が球導出口３３に一致する位置まで球導出樋部４０が復帰傾動する。そして、このように球導出樋部４０が復帰傾動することによって退避領域４７が上方傾斜する状態（図６（Ａ）参照）となり、該退避領域４７に流入していた遊技球が連通領域４６へ流出し、該連通領域４６から球導出口３３を介して上受皿１０に自動的に導出させることができる。
【００３８】
このように、本発明によれば、前枠扉６の開放及び閉鎖に伴って作動する遊技球退避手段によって、前枠扉６の開放時に連通領域４６内の遊技球を退避領域４７に流入させ、且つ前枠扉６の閉鎖時に退避領域４７に流入している遊技球を連通領域４６へ流出させるので、前枠扉６の開放時における球こぼれを確実に防止することができる。また、本体枠５の球送出口３４と前枠扉６の球導出口３３とを連通する連通領域４６を備えた球導出樋部４０に、前枠扉６の開放時に遊技球が流入可能な退避領域４７を設けたので、該退避領域４７によって球導出口３３の開口領域が狭められることがなく、これによって球導出口３３の十分な開口領域を確保することができる。
【００３９】
尚、上記実施例では、パチンコ遊技機に本発明を適用した場合について説明したが、パチンコ遊技機以外の遊技機であっても、遊技球を遊技媒体とし、該遊技球を前枠扉に配設された上受皿に払い出す遊技機であれば本発明が適用可能である。
【図面の簡単な説明】
【００４０】
【図１】本発明にかかるパチンコ遊技機１の斜視図である。
【図２】同上のパチンコ遊技機１の前枠扉６を開放した状態を示す斜視図である。
【図３】裏機構板７の背面図である。
【図４】要部の拡大斜視図である。
【図５】（Ａ）は前枠扉６の閉鎖状態、（Ｂ）は前枠扉６を僅かに開いた状態、（Ｃ）は前枠扉６の開放状態における球導出樋部４０と遊技球の状態を夫々示す概略平面図である。
【図６】（Ａ）は前枠扉６の閉鎖状態、（Ｂ）は前枠扉６の開放状態における球導出樋部４０と遊技球の状態を夫々示す概略正面図である。
【図７】前枠扉（図示せず）の閉鎖状態における球導出樋部４０の配設位置を示すパチンコ遊技機１の正面図である。
【図８】（Ａ）は従来の球導出樋部ｅの構成を示す側断面図、（Ｂ）は前枠扉ｃの開放時に生じる球こぼれ状態を示す説明図である。
【符号の説明】
【００４１】
１  パチンコ遊技機（遊技機）
５  本体枠
６  前枠扉
１０  上受皿
３１  払出装置
３３  球導出口
３４  球送出口
４０  球導出樋部
４６  連通領域
４７  退避領域
５５  引張バネ（付勢手段）
５８  復帰作動部材
【図１】
2008000185.tif 000003
【図２】
2008000185.tif 000004
【図３】
2008000185.tif 000005
【図４】
2008000185.tif 000006
【図５】
2008000185.tif 000007
【図６】
2008000185.tif 000008
【図７】
2008000185.tif 000009
【図８】
2008000185.tif 000010